(57)【特許請求の範囲】
【請求項１】
ユーザによって発話されたキーワードを検出し、当該キーワードの検出に応答して、画像撮影手段による画像の撮影処理が可能な画像撮影装置であって、
ユーザによって発話されたキーワードを検出することによって画像の撮影処理を実行する、音声による遠隔撮影設定を指定するためのユーザ入力を受信するユーザ入力受信手段と、
マイクロホンによって入力された音声信号を取得し、取得した前記音声信号を処理することによって、当該音声信号に、画像の撮影処理を実行するためのキーワードが含まれているか否かを検出する音声処理手段と、
前記画像撮影装置の状態をユーザに示すための表示手段と、
前記ユーザ入力受信手段と前記音声処理手段とに応答して、前記画像撮影手段による画像の撮影処理及び前記表示手段による表示形態を制御するコントローラとを有し、
音声による遠隔撮影設定を指定するユーザ入力が前記ユーザ入力受信手段にて受信された場合、前記コントローラは、前記音声処理手段によるキーワードの検出開始前であることを示す表示を行うよう前記表示手段を制御するとともに当該ユーザ入力の受信から第１の所定期間が経過するまではキーワードの検出処理を開始しないように前記音声処理手段を制御し、当該第１の所定期間が経過した後、前記音声処理手段によるキーワードの検出が実行されていることを示す表示を行うよう前記表示手段を制御するとともに、第２の所定期間の間、キーワードの検出処理を実行するように前記音声処理手段を制御し、前記第２の所定期間内に前記キーワードが前記音声処理手段によって検出された場合、前記画像撮影手段によって画像が撮影されることを示す表示を行うよう前記表示手段を制御するとともに、前記画像撮影手段による画像の撮影処理を実行するよう前記画像撮影手段を制御する
ことを特徴とする画像撮影装置。
【請求項２】
ユーザによって発話されたキーワードを検出し、当該キーワードの検出に応答して、画像撮影手段による画像の撮影処理が可能な画像撮影装置であって、前記画像撮影装置の状態をユーザに示す表示手段を備える画像撮影装置において実行される画像撮影方法であって、
ユーザによって発話されたキーワードを検出することによって画像の撮影処理を実行する、音声による遠隔撮影設定を指定するためのユーザ入力を受信するユーザ入力受信ステップと、
マイクロホンによって入力された音声信号を取得し、取得した前記音声信号を処理することによって、当該音声信号に、画像の撮影処理を実行するためのキーワードが含まれているか否かを検出する音声処理ステップと、
前記ユーザ入力受信ステップで受信した前記ユーザ入力と前記音声処理ステップでの前記キーワードの検出結果に応じて、前記画像撮影手段による画像の撮影処理及び前記表示手段による表示形態を制御する制御ステップとを有し、
前記ユーザ入力受信ステップで音声による遠隔撮影設定を指定するユーザ入力が受信された場合、前記制御ステップは、前記音声処理ステップでのキーワードの検出開始前であることを示す表示を行うよう前記表示手段を制御するとともに当該ユーザ入力の受信から第１の所定期間が経過するまでは前記音声処理ステップでのキーワードの検出処理を開始しないように制御し、当該第１の所定期間が経過した後、前記音声処理ステップでのキーワードの検出が実行されていることを示す表示を行うよう前記表示手段を制御するとともに、第２の所定期間の間、前記音声処理ステップでのキーワードの検出処理を実行するように制御し、前記第２の所定期間内に前記キーワードが前記音声処理ステップで検出された場合、前記画像撮影手段によって画像が撮影されることを示す表示を行うよう前記表示手段を制御するとともに、前記画像撮影手段による画像の撮影処理を実行するよう前記画像撮影手段を制御する
ことを特徴とする画像撮影方法。
【発明の詳細な説明】
【技術分野】
【０００１】
本発明は、音声により遠隔装置を制御する装置及び方法に関する。本発明は、例えば、カメラ、カムコーダ又は他の画像取込み装置による写真又は動画像の遠隔撮影を制御するために使用されることが可能である。
【背景技術】
【０００２】
カメラで写真を撮影するときには、通常、ユーザはカメラを手で持ち、撮影場面をフレーム内に入れるためにカメラの背面に位置するファインダをのぞき、その後、ボタンを押して、カメラのシャッタを切り、それにより、写真フィルム又は光取込み電子素子の上に光を当てる。しかし、例えば、グループ写真、ポートレート写真などのように、ユーザが写真の中に加わりたいと望む状況では、ユーザは、通常、カメラから幾分かの距離をおいて離れた位置にいて、通常の方法では写真を撮影できない。ここでは、ユーザがカメラと物理的に接触することなしに写真を撮影することを望む状況を説明するために、「遠隔写真（remote photograph）」という用語を使用する。この状況においては、ユーザは、手動操作によりカメラのボタンを押す必要なくシャッタを起動する方法を講じなければならない。
【０００３】
遠隔写真を撮影するためにカメラにタイマを設けることは、この技術分野では周知である。このカメラの場合、ユーザは、カメラの特定のスイッチを起動することにより遠隔写真を撮影すべきであることを指示し、所定の時間の後に写真は撮影される。しかし、その時間が短すぎると、ユーザが準備を整えないうちに写真が撮影されてしまい、時間が長すぎれば、カメラが写真を撮影するまでにユーザは待たされることになるため、多くの場面について、この方法は融通性を欠き、不満足なものである。更に、２枚以上の遠隔写真を撮影すべきである場合には、タイマの周期をリセットするために、その都度、ユーザはカメラの場所に戻り、その後、次の写真が撮影される前に所望の場所まで戻らなければならない。
【０００４】
また、カメラにリモートコントロールを設けることもこの技術分野では周知である。この場合、タイマに頼らずに遠隔写真を撮影できる。しかし、リモートコントロールを追加することで、カメラ全体の価格が高くなる。更に、遠隔写真を撮影するために、ユーザはカメラに加えてリモートコントロールを携帯しなければならないという点で不便である。
【０００５】
更に、音声起動式の遠隔写真撮影機能をカメラに設けることも周知であり、その場合、カメラは自動音声認識装置を使用して、発話される特定のキーワードを検出するようにプログラムされている。そのようなカメラは、ユーザの準備が整ったときに写真を撮影できる一方で、リモートコントロールを必要としないという利点を有する。しかし、背景雑音のためにユーザの音声信号が聞き取りにくくなり、減衰されることによりキーワードを検出できない（又は誤って検出される）ような、かなり騒々しい状況においては、これらのカメラは不適切であろう。
【発明の開示】
【０００６】
本発明の目的は、画像取込み装置において、ユーザが遠隔写真機能を音声により起動することを可能にする従来に代わる技法を提供することである。
【０００７】
本発明の一側面によれば、ユーザによって発話されたキーワードを検出し、当該キーワードの検出に応答して、画像撮影手段による画像の撮影処理が可能な画像撮影装置であって、ユーザによって発話されたキーワードを検出することによって画像の撮影処理を実行する、音声による遠隔撮影設定を指定するためのユーザ入力を受信するユーザ入力受信手段と、マイクロホンによって入力された音声信号を取得し、取得した前記音声信号を処理することによって、当該音声信号に、画像の撮影処理を実行するためのキーワードが含まれているか否かを検出する音声処理手段と、前記画像撮影装置の状態をユーザに示すための表示手段と、前記ユーザ入力受信手段と前記音声処理手段とに応答して、前記画像撮影手段による画像の撮影処理及び前記表示手段による表示形態を制御するコントローラとを有し、音声による遠隔撮影設定を指定するユーザ入力が前記ユーザ入力受信手段にて受信された場合、前記コントローラは、前記音声処理手段によるキーワードの検出開始前であることを示す表示を行うよう前記表示手段を制御するとともに当該ユーザ入力の受信から第１の所定期間が経過するまではキーワードの検出処理を開始しないように前記音声処理手段を制御し、当該第１の所定期間が経過した後、前記音声処理手段によるキーワードの検出が実行されていることを示す表示を行うよう前記表示手段を制御するとともに、第２の所定期間の間、キーワードの検出処理を実行するように前記音声処理手段を制御し、前記第２の所定期間内に前記キーワードが前記音声処理手段によって検出された場合、前記画像撮影手段によって画像が撮影されることを示す表示を行うよう前記表示手段を制御するとともに、前記画像撮影手段による画像の撮影処理を実行するよう前記画像撮影手段を制御することを特徴とする画像撮影装置が提供される。
【０００８】
本発明の別の側面によれば、ユーザによって発話されたキーワードを検出し、当該キーワードの検出に応答して、画像撮影手段による画像の撮影処理が可能な画像撮影装置であって、前記画像撮影装置の状態をユーザに示す表示手段を備える画像撮影装置において実行される画像撮影方法であって、ユーザによって発話されたキーワードを検出することによって画像の撮影処理を実行する、音声による遠隔撮影設定を指定するためのユーザ入力を受信するユーザ入力受信ステップと、マイクロホンによって入力された音声信号を取得し、取得した前記音声信号を処理することによって、当該音声信号に、画像の撮影処理を実行するためのキーワードが含まれているか否かを検出する音声処理ステップと、前記ユーザ入力受信ステップで受信した前記ユーザ入力と前記音声処理ステップでの前記キーワードの検出結果に応じて、前記画像撮影手段による画像の撮影処理及び前記表示手段による表示形態を制御する制御ステップとを有し、前記ユーザ入力受信ステップで音声による遠隔撮影設定を指定するユーザ入力が受信された場合、前記制御ステップは、前記音声処理ステップでのキーワードの検出開始前であることを示す表示を行うよう前記表示手段を制御するとともに当該ユーザ入力の受信から第１の所定期間が経過するまでは前記音声処理ステップでのキーワードの検出処理を開始しないように制御し、当該第１の所定期間が経過した後、前記音声処理ステップでのキーワードの検出が実行されていることを示す表示を行うよう前記表示手段を制御するとともに、第２の所定期間の間、前記音声処理ステップでのキーワードの検出処理を実行するように制御し、前記第２の所定期間内に前記キーワードが前記音声処理ステップで検出された場合、前記画像撮影手段によって画像が撮影されることを示す表示を行うよう前記表示手段を制御するとともに、前記画像撮影手段による画像の撮影処理を実行するよう前記画像撮影手段を制御することを特徴とする画像撮影方法が提供される。
【発明を実施するための最良の形態】
【０００９】
（概要）
図１は、写真撮影のためにポーズをとっている５人の人１−１〜１−５から成るグループを示している。グループの中の１人１−１は、特定のボタンを押すか又はユーザメニュー（図示せず）のオプションを設定することにより、遠隔写真を撮影するようにカメラ３を設定している。そこで、カメラ３は、ユーザ１−１が発話するキーワードを聴取する前にユーザ１−１がグループに加わることができるように所定の期間だけ待機する。グループが遠隔写真の撮影の準備を整えると、グループの中の１人１−１がキーワード（この実施例では「チーズ」）を発話する。そのキーワードはカメラ３により検出されて、カメラ３はそれに応答してグループの写真を撮影する。
【００１０】
図２は、カメラ３の主要な構成要素を示す概略ブロック図である。通常の使用中、ユーザはユーザ入力装置３１（ボタン又はダイアルなど）を介してカメラ３を制御する。このユーザ入力は、例えば、写真フィルム、あるいはＣＣＤセンサ又はＣＭＯＳセンサ（図示せず）などの感光電子素子の上に光を通過させるシャッター３５を制御するためにカメラ３を制御するカメラ制御部３３に供給される。カメラ制御部３３は、カメラ及び写真の状態情報（カメラ電力、光の強さ、フラッシュモードなど）をユーザに示すために、ユーザ出力装置３７（ＬＣＤディスプレイ又はＬＥＤランプなど）を更に制御する。図２に示すように、カメラ３は、ユーザの音声を対応する電気音声信号に変換するためのマイクロホン３９と、ユーザの音声の中のキーワードの有無を検出するために電気音声信号を処理し、それに従ってカメラ制御部３３に報知する音声処理部４１と、音声処理部４１により使用されるべきキーワードモデルを格納するキーワードモデル記憶部４３とを更に含む。
【００１１】
（ユーザインタフェース）
次に、図２に示したカメラの動作、及びユーザとカメラとの対話について、図３ａ及び図３ｂを参照して説明する。まず、カメラ制御部３３がユーザ入力装置３１を介して、遠隔写真を撮影すべきであることを示すユーザ入力を受信すると、カメラ制御部３３は内部タイマ（図示せず）を初期設定し、ステップＳ１で、カメラ３がキーワードの聴取を開始しようとしていることを示す表示をユーザ出力装置３７において出力する。ステップＳ３で、カメラ制御部３３のタイマは、ユーザが遠隔写真撮影のための所望の位置に到達することを可能にする期間（ＤＥＬＡＹ１）だけカメラ３を待機させる（待機状態）。この実施例では、ＤＥＬＡＹ１は５秒に設定されている。この遅延の後、処理はステップＳ５へ進み、カメラ制御部３３に格納され、撮影された遠隔写真の枚数を示すために使用される変数ＣＯＵＮＴが０に設定される。ステップＳ７では、カメラ制御部３３はマイクロホン３９をスイッチオンするための起動信号を発生し、カメラ３が聴取状態にあって、ユーザにより発話されるキーワードを聴取していることを示す表示をユーザ出力装置３７において出力する。
【００１２】
次に、処理はステップＳ９へ進み、カメラ制御部３３はユーザが遠隔写真撮影動作を取り消したか否かを検査する。ユーザが取り消していれば、処理はステップＳ２７（図３ｂに示す）へ進み、カメラ制御部３３はマイクロホン３９をスイッチオフするための動作停止信号を発生し、キーワードを聴取しなくなっていることを示す表示をユーザ出力装置３７において出力する。ユーザが遠隔写真撮影動作を取り消していない場合には、処理はステップＳ１１へ進み、カメラ制御部３３は（変数ＣＯＵＮＴの値を０と比較することにより）写真が既に撮影されたか否かを判定する。写真が撮影されていなければ、処理はステップＳ１３へ進み、カメラ制御部３３は、カメラ３が遠隔写真を撮影するために無期限に待機しないことを保証するために、タイマを第２の遅延（ＤＥＬＡＹ２）に対して検査する。この実施例では、ＤＥＬＡＹ２は３０秒に設定されている。ＤＥＬＡＹ２に達していないとすれば、カメラ制御部３３は、音声処理部４１がマイクロホン３９からの入力音声信号の中のキーワードを検出したか否かを（入力音声をキーワードモデル記憶部４３に格納されているキーワードモデルと比較することにより）検査する。キーワードが検出されていなければ、ステップＳ９〜Ｓ１５が繰り返される。
【００１３】
ステップＳ１５でキーワードが検出されたならば、処理はステップＳ１７へ進み、カメラ制御部３３は変数ＣＯＵＮＴを増分し、次に、ステップＳ１９で、写真が撮影されようとしていることを示す表示をユーザに対してユーザ出力装置３７において出力する。この実施例では、カメラ制御部３３は、この後、ステップＳ２１でユーザ規定期間（ＤＥＬＡＹ３）だけ待機するように構成されている。このユーザ規定期間はユーザ入力装置３１を介してカメラにプログラムすることができ、直ちに写真が撮影されるように０に設定されることが可能である。この遅延の後、ステップＳ２３で、カメラ制御部３３は写真を撮影させるためにシャッタ３５へ制御信号を送信する。
【００１４】
ステップＳ１３で、カメラ制御部３３がキーワードの検出前にＤＥＬＡＹ２が経過し終わったことを判定した場合、ユーザがキーワードを発話するのをカメラ３が無期限に待たないように（又はカメラ３が発話されたキーワードを検出するのに失敗した場合）、処理はステップＳ１９へ進む。従って、最終的に、キーワードが検出されない場合には、カメラ３は自動的に写真を撮影する。
【００１５】
この実施例では、１回の遠隔写真撮影セッションの中で１０枚までの写真を撮影できる。この試験はステップＳ２５でカメラ制御部３３により制御される。現在のセッションにおいて更に多くの写真を撮影できる場合には、処理はステップＳ７に戻る。既に１０枚の写真が撮影されている場合には、ステップＳ２７で、カメラ制御部３３はマイクロホン３９をスイッチオフするための動作停止信号を発生し、カメラ３が聴取しなくなっていることを示す表示をユーザに対してユーザ出力装置３７において出力する。そこで、遠隔写真撮影動作は終了する。
【００１６】
（第２の実施例）
以上説明した第１の実施例では、カメラ３は延長された期間（ＤＥＬＡＹ２）にわたりキーワードを聴取するように構成されている。したがって、キーワードの誤った検出により、カメラ３が希望するより多くの写真を撮影してしまう可能性がある。そこで、誤って撮影される写真の枚数を減らすことを試みるために、カメラ３が写真を撮影する前に２つのキーワードが検出されなければならない２パス技法を採用する第２の実施例を説明する。特に、この第２の実施例においては、第１のキーワードの検出によって、カメラ３は第１の実施例の場合より短い時間フレームの中で第２のキーワードを聴取する。カメラ３は、第２のキーワードが検出されて初めて写真を撮影する。図４ａ及び図４ｂを参照して、この第２の実施例におけるカメラ３の動作を説明する。
【００１７】
カメラ制御部３３が写真を撮影すべきであることを示すユーザ入力を受信すると、カメラ制御部３３は内部タイマをリセットし、ステップＳ１０１で、システムがキーワードの聴取を開始しようとしていることを示す表示をユーザ出力装置３７において出力する。次に、ステップＳ１０３で、カメラ制御部３３はユーザが遠隔写真撮影のための所望の位置に到達することを可能にするための期間（ＤＥＬＡＹ１）にわたり装置を待機させる（待機状態）。この実施例でも、ＤＥＬＡＹ１は５秒に設定されている。ＤＥＬＡＹ１が経過した後、処理はステップＳ１０５へ進み、撮影される遠隔写真の枚数を示す変数ＣＯＵＮＴが０に設定される。ステップＳ１０７で、カメラ制御部３３はマイクロホン３９をスイッチオンするための起動信号を発生し、次に、カメラ３が聴取モードにあって、ユーザにより発話される第１のキーワードを聴取していることを示す表示をユーザ出力装置３７において出力する。
【００１８】
ステップＳ１０９で、カメラ制御部３３はユーザが遠隔写真撮影動作を取り消したか否かを検査する。取り消していれば、処理はステップＳ１３５へ進み、カメラ制御部はマイクロホン３９をスイッチオフするための動作停止信号を発生し、カメラ３が聴取するのを停止していることを示す表示をユーザ出力装置３７において出力する。しかし、ステップＳ１０９で、遠隔写真撮影動作が取り消されていないことをカメラ制御部３３が判定した場合には、処理はステップＳ１１１へ進み、カメラ制御部３３は現在の遠隔写真撮影セッションにおいて写真が撮影されたか否かを判定する。写真が撮影されていなければ、処理はステップＳ１１３へ進み、第１の実施例と同様に、タイマが遅延値ＤＥＬＡＹ２（この実施例においても３０秒に設定されている）と比較される。処理ステップＳ１１１及びＳ１１３の目的は、カメラが所定の時間の後にキーワードを検出しない場合には、自動的に写真が撮影されるように保証することである。従って、ステップＳ１１３で、タイマ値がＤＥＬＡＹ２より大きいことが判定された場合、処理はステップＳ１２７へ進み、カメラ３は写真を撮影しようとしていることを示す。
【００１９】
変数ＣＯＵＮＴが０より大きいか、又はタイマがＤＥＬＡＹ２に満たない場合、処理はステップＳ１１５へ進み、カメラ制御部３３は音声処理部４１が第１のキーワードを検出したか否かを知るための検査を実行する。検出していなければ、処理はステップＳ１０９に戻る。音声処理部４１が第１のキーワードを検出していた場合、処理はステップＳ１１７へ進み、カメラ制御部３３はＣＯＵＮＴを増分し、次に、ステップＳ１１９で、カメラ３がユーザからの第２のキーワードを聴取していることを示す表示をユーザ出力装置３７において出力する。その後、処理はステップＳ１２１へ進み、カメラ制御部３３はユーザが遠隔写真撮影動作を取り消したか否かを知るための検査を再び実行する。取り消していなければ、処理はステップＳ１２３へ進み、別の遅延値（ＤＥＬＡＹ４）に対してタイマが検査される。この第４の遅延は、システムが時間切れになり、ステップＳ１０７に戻って、第１のキーワードの聴取を再開する前にユーザが第２のキーワードを発話していなければならない時間の長さを定義するために使用される。ＤＥＬＡＹ４の値は、ユーザに第２のキーワードを発話するのに十分な時間を与えるように設定され、この実施例では２秒の値に設定されている。
【００２０】
ＤＥＬＡＹ４を超えていない場合、処理はステップＳ１２５へ進み、カメラ制御部３３は音声処理部４１が第２のキーワードを検出したか否かを検査する。検出していなければ、処理はステップＳ１２１に戻る。第２のキーワードが検出されたならば、処理はステップＳ１２７へ進み、カメラ制御部３３は、写真が撮影されようとしていることを示す表示をユーザ出力装置３７において出力する。第１の実施例の場合と同様に、カメラ制御部３３は、この後、ステップＳ１２９でユーザ選択可能な遅延（ＤＥＬＡＹ３）だけ待機する。この遅延の後、処理はステップＳ１３１へ進み、カメラ制御部３３は写真を撮影させるためにシャッタ３５へ信号を送信する。
【００２１】
第１の実施例の場合と同様に、この第２の実施例でも、カメラ制御部３３は現在の遠隔写真撮影セッションの中で最大で１０枚の写真を撮影できるように構成されている。これは、カメラ制御部３３がＣＯＵＮＴの値は０から１０の間にあるか否かを知るための検査を実行するステップＳ１３３において制御される。０から１０の間にあれば、処理はステップＳ１２７に戻り、カメラは再び第１のキーワードを聴取していることを示す。これに対し、ＣＯＵＮＴが０から１０の間にない場合には、処理はステップＳ１３５へ進み、カメラ制御部３３はマイクロホン３９をスイッチオフするための動作停止信号を発生し、カメラ３が聴取しなくなっていることを示す表示をユーザ出力装置３７において出力する。
【００２２】
（代替実施例、変形例）
ユーザが１つ以上のキーワードを発話することにより遠隔写真を撮影することを可能にする音声起動カメラの２つの実施例を説明した。カメラの２つの異なるユーザインタフェース動作を説明した。当業者には理解されるであろうが、上記の実施例に対して様々な変形を実施できる。以下に、変形例をいくつか説明する。
【００２３】
上記の実施例では、カメラは発話されたキーワードを検出した後に写真を撮影するように構成されていた。グループの写真を撮影する場合、グループの数人のメンバーがわずかに異なる時点でキーワードをそれぞれ発話することが一般的である。したがって、上記の実施例においては、カメラは発話されるキーワードの出現をそれぞれ検出し、出現のたびに写真の撮影を開始することができる。この問題を回避するために、別の実施例では、カメラは、現在の遠隔写真撮影セッションで次の写真を撮影できるようになる前に所定の期間（例えば、数秒）だけ待機するように構成しても良い。
【００２４】
上記の実施例では、ユーザが現在の遠隔写真撮影セッションを起動すると、カメラは、
ｉ）キーワードが検出されず、ＤＥＬＡＹ２の後にカメラが時間切れになるか、
ii）ユーザがユーザ入力装置を介して動作を取り消すか、又は
iii）ユーザが現在の遠隔写真撮影セッションで１０枚の写真を撮影し終わるか、
のいずれかの状況でのみ現在のセッションを終了する。
【００２５】
別の実施例においては、カメラは、１回の遠隔写真撮影セッションの中で写真を撮影できる所定の期間を設けるように構成されても良い。このようにすると、撮影された写真の枚数に関わらず、所定の期間が終了した時点で処理は終了するであろう。
【００２６】
第１の実施例では、カメラで遠隔写真撮影機能が起動されると、カメラはマイクロホンをスイッチオンし、キーワードを聴取していた。別の実施例においては、カメラは、誤ったキーワード検出が起こりうる時間を短縮するために、現在の遠隔写真撮影セッションの中の短い時間の間に限ってマイクロホンをスイッチオンするように構成されても良い。これは、例えば、現在の遠隔写真撮影セッション中、カメラがある期間（例えば、５秒）にわたり待機状態にあり、その後、それより短い期間（例えば、２秒）にわたり聴取状態になり、その間にマイクロホンがスイッチオンされ、カメラが聴取していることを示す表示がユーザに対して出力されるように動作するようにカメラを構成することにより、実現されることが可能である。カメラがこの聴取状態にあるときにキーワードが検出されない場合、カメラは、再び聴取状態に入る前に更にある期間だけ待機状態に戻る。聴取状態にある間にカメラがキーワードを検出したならば、第１の実施例の場合と同様に、カメラは写真を撮影することができ、その後、待機状態に戻る。このようにすると、カメラが実際にキーワードを聴取している時間はカメラが遠隔写真撮影動作モードにある時間全体と比較して短縮される。従って、これは偽キーワード検出の回数を減少させ、誤って撮影される写真の枚数を減らすのに有用である。
【００２７】
上記の実施例では、カメラ制御部はマイクロホンをスイッチオンするための起動信号と、マイクロホンをスイッチオフするための動作停止信号を発生していた。別の実施例においては、マイクロホンは常時スイッチオンされていても良い。この場合、カメラ制御部は、音声処理部が実際にどの時点でマイクロホンからの信号を処理するかを制御するために、起動信号及び動作停止信号を直接に音声処理部へ出力する。あるいは、マイクロホンと音声処理部の双方が絶えず動作しているように構成しても良い。この場合、制御装置は、キーワードを聴取しているべき適切な時点の間に限って音声処理部に選択的に応答するように構成されれば良い。
【図面の簡単な説明】
【００２８】
【図１】写真を撮影したい人々のグループのうちの１人のメンバーが「チーズ」という言葉を発話しており、カメラは写真を撮影するグループから離れた場所にある状態を概略的に示す図である。
【図２】図１に示すカメラの主要な構成要素を示す概略ブロック図である。
【図３ａ】図１に示すカメラの動作を示すフローチャートの第１の部分である。
【図３ｂ】図１に示すカメラの動作を示すフローチャートの第２の部分である。
【図４ａ】第２の実施例による図１に示すカメラの動作を示すフローチャートの第１の部分である。
【図４ｂ】第２の実施例による図１に示すカメラの動作を示すフローチャートの第２の部分である。
【図１】
0004805558.tif 000002
【図２】
0004805558.tif 000003
【図３ａ】
0004805558.tif 000004
【図３ｂ】
0004805558.tif 000005
【図４ａ】
0004805558.tif 000006
【図４ｂ】
0004805558.tif 000007